(57)【特許請求の範囲】
【請求項１】
建物の開口部に固定して設けられる枠体と、前記枠体内に左右に移動可能に納めた内障子と、前記枠体に左右に移動可能または固定して納めた外障子と、前記障子よりも屋外側に配設され、左右に移動可能に前記枠体に支持される網戸と、前記網戸を前記枠体に固定する網戸固定装置とを有する建具において、
前記網戸固定装置は、可撓性部材からなる網戸固定部材と、前記網戸固定部材に備えた連結部を着脱可能に連結する受け部材とからなり、
前記網戸の室内側見付け面または前記枠体の室外板部より室内側部位のいずれか一方に前記網戸固定部材が設けられ、他方に前記受け部材が設けられ、
前記連結部はフックにより構成され、
前記受け部材は、前記フックを挿入、離脱する２つの貫通孔と、その２つの貫通孔の間に設けられ、前記フックを係止する係止部とを有し、
前記係止部は、前記受け部材の取付け面に対して傾斜した部分を含んで形成されていることを特徴とする建具。
【請求項２】
請求項１に記載の建具において、
前記網戸固定装置は、障子の閉じ状態において、内障子のガラスパネルより戸先側に設けられることを特徴とする建具。
【発明の詳細な説明】
【技術分野】
【０００１】
本発明は、引違い窓や内動式片引き窓として構成されると共に、枠体に移動可能に網戸が取付けられる建具に係わり、特に網戸の自走を防止する網戸の固定装置に関する。
【背景技術】
【０００２】
引違い窓や片引き窓に取付けられる網戸は、台風等の際に強風を受けると自走したり枠体から外れたりするおそれがある。このため、網戸を移動可能に取付けた窓においては、例えば特許文献１に開示されているように、網戸が枠体から外れて落下する等の事故を防止する装置が備えられている。
【０００３】
特許文献１に開示されている従来の網戸装置は、網戸の框と枠体との間を、フック付ワイヤにより着脱可能に接続するようにしたものである。すなわち、網戸の框と枠体の一方に設けた取付け金具にワイヤの一端を接続し、他方に設けた取付け金具に、ワイヤの先端のフックを掛けて網戸の落下を防止する構造を有している。そしてこれらの取付け金具、ワイヤおよびフックからなる落下防止部材は枠体や網戸の室外側に設けられている。
【先行技術文献】
【特許文献】
【０００４】
【特許文献１】特開２００１−１１５７６０号公報
【発明の概要】
【発明が解決しようとする課題】
【０００５】
しかしながら、前述した従来の建具においては、網戸の落下を防止するワイヤおよびフックからなる落下防止部材がいずれも室外側に設けられているため、フックの着脱の作業を室外側で行なわなければならず、着脱が困難であるという問題点があった。
【０００６】
本発明は、上記問題点に鑑み、網戸を枠体に対して固定、固定解除するための着脱作業が容易に行なえる構成の建具を提供することを目的とする。
【課題を解決するための手段】
【０００７】
本発明の建具は、
建物の開口部に固定して設けられる枠体と、前記枠体内に左右に移動可能に納めた内障子と、前記枠体に左右に移動可能または固定して納めた外障子と、前記障子よりも屋外側に配設され、左右に移動可能に前記枠体に支持される網戸と、前記網戸を前記枠体に固定する網戸固定装置とを有する建具において、
前記網戸固定装置は、可撓性部材からなる網戸固定部材と、前記網戸固定部材に備えた連結部を着脱可能に連結する受け部材とからなり、
前記網戸の室内側見付け面または前記枠体の室外板部より室内側部位のいずれか一方に前記網戸固定部材が設けられ、他方に前記受け部材が設けられ、
前記連結部はフックにより構成され、
前記受け部材は、前記フックを挿入、離脱する２つの貫通孔と、その２つの貫通孔の間に設けられ、前記フックを係止する係止部とを有し、
前記係止部は、前記受け部材の取付け面に対して傾斜した部分を含んで形成されていることを特徴とする。
【０００８】
また、本発明の建具は、
前記網戸固定装置は、障子の閉じ状態において、内障子のガラスパネルより戸先側に設けられることを特徴とする。
【発明の効果】
【０００９】
本発明においては、網戸固定部材および受け部材のいずれか一方を、網戸の室内側見付け面に設け、他方は、枠体の室外板部よりも室内側部位に設けたため、網戸より室内側で網戸固定部材と受け部材との着脱を行なうことができ、着脱が容易となる。
【図面の簡単な説明】
【００１０】
【図１】本発明による建具の一実施の形態を示す横断面図であり、引違い窓について示す。
【図２】この実施の形態の建具の縦断面図である。
【図３】図１の部分拡大断面図である。
【図４】この実施の形態の網戸固定装置の部品構成を示す図であり、（Ａ）は網戸固定部材の取付け構造を示す平面図、（Ｂ）は（Ａ）のＧ矢視図、（Ｃ）は網戸固定部材の受け部材との連結部となるフックの拡大図、（Ｄ）は受け部材を室内側から見た図、（Ｅ）は（Ｄ）のH−H拡大断面図、（Ｆ）は受け部材を網戸に取付けるための取付け金具を室内側から見た図である。
【図５】この実施の形態の網戸固定部材と受け部材との着脱構造を示す図である。
【図６】この実施の形態における受け部材と網戸固定部材との結合状態を、室内側から見た図であり、（Ａ）は枠体の網戸固定部材の取付け部位と、網戸の縦框の受け部材の取付け部位とが、網戸の移動方向に近い場合、（Ｂ）は遠い場合を示す。
【図７】本発明による他の実施の形態である内動式片引き窓を示す横断面図である。
【図８】図７に示す内動式片引き窓の縦断面図である。
【図９】（Ａ）は網戸固定部材の取付け構造の他の例を示す平面図、（Ｂ）は（Ａ）のJ矢視図である。
【発明を実施するための形態】
【００１１】
図１は本発明の建具の一実施の形態を示す横断面図、図２はその縦断面図である。この実施の形態は、建具が引違い窓を構成する場合について示す。１は建物の開口部に設ける窓の枠体であり、この枠体１内に内障子２と外障子３が左右に移動可能に納められる。３０は枠体１における外障子３の室外側に移動可能に取付けられる網戸である。枠体１は、左右の縦枠４，５と上枠６と下枠７とで構成され、これらは、アルミニウム合金等の金属製押出形材、あるいは樹脂製の押出形材により構成され、これらをタッピングねじ(図示せず)により組み合わせて矩形に構成する。
【００１２】
内障子２は、縦框９と内召し合わせ框１０と上框１１と中框１２と下框１３とで上下２段のガラスパネル装着部を有する枠を組み、各ガラスパネル装着部にガラスパネル１４を組み込んでなる。外障子３は、縦框１５と外召し合わせ框１６と上框１７と中框１８と下框１９とで上下２つのガラスパネル装着部を有する枠を組み、その各ガラスパネル装着部内にガラスパネル２０を組み込んでなる。これらの框９〜１３および１５〜１９は、アルミニウム合金等の金属製押出形材、あるいは樹脂製の押出形材により構成され、タッピングねじ(図示せず)により組み合わせて矩形に構成する。
【００１３】
内障子２は、下框１３に取付けた溝付きローラ２５ａを下枠７の上面に形成したガイドレール７ａ上に載せ、上框１１に設けた溝部２７ａを、上枠６に形成したガイドレール６ａに摺動可能に嵌めて枠体１に移動可能に取付けられる。外障子３は、下框１９に取付けた溝付きローラ２５ｂを下枠７の上面に形成したガイドレール７ｂ上に載せ、上框１７に設けた溝部２７ｂを、上枠６に形成したガイドレール６ｂに摺動可能に嵌めて枠体１に移動可能に取付けられる。
【００１４】
網戸３０は、左右の縦框３１と上框３２と中框３３と下框３４とで上下２つの網装着部を有する枠を組み、その各網装着部に網３５を取付けて構成される。各框３１〜３４はアルミニウム合金等の金属製押出形材、あるいは樹脂製の押出形材により構成され、タッピングねじ（図示せず）により結合される。網戸３０の下框３４には溝付きローラ３６が取付けられ、このローラ３６を枠体１の下枠７の室外側に設けたガイドレール７ｃ上に載せ、上框３２に設けた溝部３７を、上枠６の室外側に垂下状に設けた垂下片６ｃに移動可能に嵌める。
【００１５】
図１において、４０は網戸３０を枠体１に固定する網戸固定装置である。この網戸固定装置４０は枠体１における外障子３の戸尻側縦枠５と、この縦枠５側の網戸３０の一方の縦框３１との間に設けられる。
【００１６】
図３は網戸固定装置４０の構成を示す図１の拡大断面図である。図３において、３ａは外障子３を開いた時の外障子３の戸尻を示す。外障子３はこれを開いた時に、戸尻３ａと縦枠５との間で指が挟まれることを防ぐため、外障子３を開いた時には、Ｓで示す間隔が戸尻３ａと縦枠５との間で形成されるように構成される。この間隔Ｓが形成されるスペースを利用して網戸固定装置４０が取付けられる。
【００１７】
図３において、４１は網戸３０の縦框３１の室内側見付け面３１ａに取付けた受け部材、４２は網戸固定部材、４３はこの網戸固定部材４２を受け部材４１に着脱可能に結合する連結部として設けられたフックである。４５は網戸固定部材４２を縦枠５に取付ける取付け金具、４６は受け部材４１を縦框３１に取付ける取付け金具である。
【００１８】
図４（Ａ）は網戸固定部材４２の取付け構造を示す平面図、（Ｂ）は（Ａ）のＧ矢視図である。取付け金具４５は、縦枠５の室外板部５ａの室内側見付け面に当てて取付ける取付け板部４５ａと、縦枠５の見込み面部５ｃに当てて取付ける取付け板部４５ｂと、網戸固定部材４２を接続する接続部４５ｃとを有し、平面視がコ字形をなす。取付け板部４５ａ，４５ｂはそれぞれボルト４７により縦枠５に取付けるためのねじ孔４５ｄ，４５ｅを有する。接続部４５ｃには網戸固定部材４２の接続孔４５ｆを有する。
【００１９】
本例では縦枠５の室外板部５ａの室外側からボルト４７により取付け金具４５を縦枠５に取付けた例を示す。すなわち、縦枠５の室外板部５ａに設けた貫通孔５ｂにボルト４７を室外側から挿通して取付け金具４５のねじ孔４５ｄに螺合し締結することにより、取付け金具４５を縦枠５に取付けている。
【００２０】
網戸固定部材４２は、ワイヤ、チェーン、紐等の可撓性部材からなるものであり、その一端を取付け金具４５の接続部４５ｃに設けた接続孔４５ｆに通してかしめ金具４８で締結して取付け金具４５に接続する。フック４３は、網戸固定部材４２の先端をフック４３の取付け部４３ａ内に通してかしめ金具４９で締結して接続する。
【００２１】
図４（Ｃ）に示すように、フック４３は、外れ止め用の爪４３ｂを有する。この外れ止め爪４３ｂは、取付け部４３ａの一端部に枢着軸４３ｃを中心として回動可能に取付けられ、枢着軸４３ｃに設けたばね(図示せず)により、矢印Ｒで示すように、閉じる方向に付勢される。
【００２２】
図４（Ｄ）、（Ｅ）に示すように、受け部材４１は、縦長の板材からなるものであり、この受け部材４１は、これを網戸３０の縦框３１等に取付けるために、上下に取付け孔４１ａ，４１ｂを有し、これらの取付け孔４１ａ，４１ｂの間に、フック４３を着脱するための上方の貫通孔４１ｃと下方の貫通孔４１ｄを有し、上方の貫通孔４１ｃと下方の貫通孔４１ｄとの間に、フック４３を掛ける係止部４１ｅを有する。この係止部４１ｅは、網戸固定部材４２の反対側である室外側に突出するように山形、弧状等に曲成した突出部として形成している。すなわち、係止部４１ｅは受け部材４１の取付け面である縦框３１の見付け面３１ａに対して傾斜した部分を有する。
【００２３】
図３に示すように、受け部材４１を取付けるための取付け金具４６は、網戸３０の縦框３１の中空部内に嵌め込んで取付けるものであり、平面視がＬ字形をなす。また、図４（Ｆ）に示すように、この取付け金具４６は、上下にボルト５０を螺合するためのねじ孔４６ａ，４６ｂを有する。また、これらのねじ孔４６ａ，４６ｂを設けた部分の間には、フック４３を通すための切欠部４６ｃを有する。なお、網戸３０の縦框３１の室内側見付け面３１ａを形成する板状部にも、ねじ孔４６ａ，４６ｂに対応する貫通孔(図示せず)と、取付け金具４６の切欠部４６ｃに対応する長孔３１ｂ（図３参照）を有する。３１ｃは網戸３０を開閉するための手掛けである。
【００２４】
図３に示すように、受け部材４１は、ボルト５０を図４（Ｄ）に示した取付け孔４１ａ，４１ｂと、縦框３１の見付け面部に設けた貫通孔(図示せず)とに挿通し、取付け金具４６のねじ孔４６ａ，４６ｂに螺合し締結することにより、縦框３１の室内側見付け面３１ａに取付ける。
【００２５】
図５はフック４３の受け部材４１に対する着脱構造を示しており、フック４３を受け部材４１に連結する際には、２点鎖線で示すように、上方の貫通孔４１ｃからフック４３の外れ止め爪４３ｂ側の上部を押し込み、これにより外れ止め爪４３ｂが不図示のばねの力に抗して開く。この姿勢でフック４３を下げると、外れ止め爪４３ｂが係止部４１ｅに接触しながらフック４３が下がる。その後、爪４３ｂの上端が係止部４１ｅから離れると、外れ止め爪４３ｂがばねの力で閉じ、フック４３が受け部材４１の係止部４１ｅに係止される。この係止状態では、外れ止め爪４３ｂによりフック４３が外れ止めされる。
【００２６】
フック４３を受け部材４１から外す際には、指で外れ止め爪４３ｂを開いた状態として上動させることにより、係止部４１ｅからフック４３を外し、上方の貫通孔４１ｃから引き抜くことにより、フック４３を受け部材４１から外すことができる。
【００２７】
図１に示すように、内障子２を閉じた状態では、網戸固定装置４０は、内障子２のガラスパネル１４より戸先側（図１中、ガラスパネル１４の露出部の縦框９側端部を示す線１００より右側）に設けられる。
【００２８】
この実施の形態の網戸固定装置４０においては、枠体１の構成や網戸３０の取付け構造やサイズの相違等により、網戸固定部材４２の取付け金具４５と受け部材４１との間隔が相違しても、その相違に対応して網戸固定装置４０を取付けることができる。図６（Ａ）は網戸３０の縦框３１に対する受け部材４１の取付け部位と、網戸固定部材４２の取付け金具４５の取付け部位との障子２，３の移動方向の間隔Ｗ１が小さい場合、図６（Ｂ）はこの間隔Ｗ２が大きい場合である。
【００２９】
図６（Ａ）のように、受け部材４１の取付け部位と、網戸固定部材４２の取付け金具４５の取付け部位との障子２，３の移動方向の間隔Ｗ１が小さい場合には、受け部材４１と取付け金具４５の取付け部位の高低差Ｈ１を大きくする。一方、図６（Ｂ）のように、受け部材４１の取付け部位と網戸固定部材４２の取付け金具４５の取付け部位の障子２，３の移動方向の間隔Ｗ２が大きい場合には、受け部材４１と取付け金具４５の取付け部位の高低差Ｈ２を小さくする。
【００３０】
また、図示を省略しているが、受け部材４１の取付け部位と、網戸固定部材４２の取付け金具４５の取付け部位との室内外方向の間隔が小さい場合には、受け部材４１と取付け金具４５の取付け部位の高低差を大きくする。反対に、受け部材４１の取付け部位と、網戸固定部材４２の取付け金具４５の取付け部位との室内外方向の間隔が大きい場合には、受け部材４１と取付け金具４５の取付け部位の高低差を小さくする。
【００３１】
このように、網戸固定部材４２に可撓性部材を用いているので、取付け位置の調整が可能であり、受け部材４１と連結することにより、網戸３０の自走を防止することができる。また、枠体１の構成や網戸３０の取付け構造やサイズの相違が存在しても、網戸固定装置４０における受け部材４１と取付け金具４５の高低差を変えることにより、各種の建具に１種の網戸固定装置４０を共通に用いることができ、経済化が達成される。また、網戸固定部材４２が緩みの少ない状態で網戸固定装置４０を取付けることができるので、強風時にも網戸がガタツキが少ない状態で網戸３０を固定できる。
【００３２】
この実施の形態においては、枠体１を構成する縦枠５の室外板部５ａよりも室内側部位に網戸固定部材４２を設け、網戸固定部材４２の受け部材４１を、網戸３０の縦框３１の室内側見付け面３１ａに設けたので、網戸固定部材４２と受け部材４１との着脱を網戸３０より室内側で着脱を行なうことができ、着脱が容易となる。
【００３３】
また、この実施の形態においては、図１に示すように、障子２，３を閉じた状態において、内障子２のガラスパネル１４より戸先側に網戸固定装置４０が位置する（すなわち、図面上、ガラスパネル１４の露出部の縦框９側端部を示す線１００よりも網戸固定装置４０が右側に位置する。）ように構成したので、網戸固定装置４０が内障子２の縦框９に隠れてみえず、外観を損なうことがない。
【００３４】
また、受け部材４１の係止部４１ｅを網戸固定部材４２側に山形あるいは弧状等に曲成し、室外側に突出させた突出部として形成することにより、受け部材４１の取付け面に対して傾斜した部分を設けたので、強風等により網戸３０を室外側や外障子３側に移動させる力を受け、受け部材４１が網戸固定部材４２により引っ張られる力が作用しても、受け部材４１の変形が防止され、強度の高い受け部材が提供できる。このため、受け部材４１が強風等により室内側に変形して外障子３に干渉する不具合を防止することができる。
【００３５】
本発明の網戸固定装置は、引違い窓のみならず、内動式片引き窓にも適用できる。図７は本発明による他の実施の形態である内動式片引き窓を示す横断面図、図８はその縦断面図である。６１は窓の枠体であり、この枠体６１内に内障子６２と外障子６３が取付けられる。内障子６２は枠体６１内に移動可能に、外障子６３は枠体６１に固定して取付けられる。９０は枠体６１における外障子６３の室外側に移動可能に取付けられる網戸である。枠体６１は、左右の縦枠６４，６５と上枠６６と下枠６７とで構成される。これらの左右の縦枠６４，６５と上枠６６と下枠６７は、アルミニウム合金等の金属製押出形材、あるいは樹脂製の押出形材により構成され、これらをタッピングねじ(図示せず)により組み合わせて矩形に構成する。
【００３６】
内障子６２は、縦框６９と内召し合わせ框７０と上框７１と中框７２と下框７３とで上下２つのガラスパネル装着部を有する枠を組み、各ガラスパネル装着部にガラスパネル７４を組み込んでなる。外障子６３は、縦枠６４と、外召し合わせ框７６と、上枠６６に固定される上框７７と、中框７８と、下枠６７に固定される下框７９とで上下２つのガラスパネル装着部を有する枠を組み、その各ガラスパネル装着部内にガラスパネル８０を組み込んで構成される。これらの框６９〜７３および框７６〜７９も、アルミニウム合金等の金属製押出形材、あるいは樹脂製の押出形材により構成される。８１は内障子２の内召し合わせ框７０に取付けたクレセント、８２は外障子６３の外召し合わせ框７６に設けたクレセント受けである。
【００３７】
内障子６２は、下框７３に取付けた溝付きローラ８５を下枠６７の上面に形成したガイドレール６７ａ上に載せ、上框７１に設けた溝部７１ａを、上枠６６に形成したガイドレール６６ａに摺動可能に嵌めて枠体６１に移動可能に取付けられる。
【００３８】
網戸９０は、左右の縦框９１と上框９２と中框９３と下框９４とで上下２つの網装着部を有する枠を組み、その各網装着部に網９５を取付けて構成される。各框９１〜９４はアルミニウム合金等の金属製押出形材、あるいは樹脂製の押出形材により構成され、タッピングねじ（図示せず）により結合される。網戸９０の下框９４には溝付きローラ９６が取付けられ、このローラ９６を枠体６１の下枠６７の室外側に設けたガイドレール６７ｂに載せ、上框９２に設けた溝部９７を、上枠６６の室外側に垂下状に設けた垂下片６６ｃに移動可能に嵌めて取付けられる。この網戸の取付け構造により、網戸９０は枠体６１の室外側において、移動可能に取付けられる。
【００３９】
図７において、４０は網戸３０を枠体６１に固定する網戸固定装置である。この網戸固定装置４０は、枠体６１における内障子６２の戸先側の縦枠６５と、網戸９０の縦枠６５側の縦框９１の室内側見付け面９１ａとの間に設けられる。この網戸固定装置４０は図３〜図６で示した前記実施の形態のものと部品構成、構造が同じであり、図１、図３〜図６に示した符号と同じ符号は、同じ部品、部分を示しているので、詳細な説明を省略する。
【００４０】
図７、図８に示すような内動式片引き窓においては、内障子６２を開けて網戸固定部材４２のフック４３と受け部材４１との着脱を行なう。この実施の形態においても、前述したように、網戸固定部材４２と受け部材４１との着脱が室内側から行なえるので、着脱が容易となる。
【００４１】
また、この実施の形態においても、図７に示すように、内障子６２を閉じた状態において、内障子６２のガラスパネル７４より戸先側に網戸固定装置４０が位置するように構成（すなわち、図面上、ガラスパネル７４の露出部の縦框６９側端部を示す線１００よりも網戸固定装置４０が右側に位置する。）したので、網戸固定装置４０が内障子６２の縦框６９に隠れてみえず、外観を損なうことがない。
【００４２】
図９は網戸固定部材４２の取付け構造の他の例を示すものであり、図４の例に対し、縦枠５に網戸固定部材４２を取付ける取付け金具４５Ｘの構造と取付け部位とを変えたものである。すなわち、網戸３０を縦枠５側に寄せた際に、網戸のアタッチ枠３１Ｘ（枠体１と網戸３０との隙間を塞ぐ部材）の一部３１ｃが縦枠５の室外板部５ａの室内側見付け面を覆う構造等のために、前記実施の形態の取付け金具４５の取付けが行なえない場合、縦枠５の見込み面部５ｃへの取付けを可能とする取付け金具４５Ｘとしたものである。
【００４３】
この取付け金具４５Ｘは、図９（Ａ）の平面図に示すように、平面視がＬ字形をなすものであり、縦枠５の見込み面部５ｃに取付ける取付け部４５ｇと網戸固定部材４２との接続部４５ｈとからなる。取付け部４５ｇの上下にはボルト４７を通すための貫通孔４５ｉを有し、接続部４５ｈには網戸固定部材４２を接続するための接続孔４５ｊを有する。
【００４４】
この取付け金具４５Ｘの取付けは、ボルト４７を、取付け金具４５Ｘに設けた貫通孔４５ｉと、見込み面部５ｃに設けた貫通孔５ｄに通して裏板５１のねじ孔に螺合し締結することにより行なう。この裏板５１を用いる取付け構造の場合、窓を建物に取付けた後は、縦枠５の裏側への裏板５１の取付けが不可能であるため、網戸固定部材４２を先付けする場合に限られる。しかし、仮に、受け部材４１をターナットやホップナット（登録商標）のような後付け（既設の窓への取付け）可能なナットを用いれば、受け部材４１の縦框３１，９１へのボルト４７による後付けや、取付け金具４５，４５Ｘの縦枠５，６５への後付けも可能となり、網戸固定装置４０の後付けが可能となる。ただし、図３に示す取付け金具４５の取付け構造は、取付け金具４５については後付けも可能である。
【００４５】
上記いずれの実施の形態においても、網戸固定部材４２を縦枠５，６５に設け、受け部材４１を網戸３０，９０の縦框３１，９１に設けた例を示したが、網戸固定部材４２を網戸３０，９０の縦框３１，９１に設け、受け部材４１を縦枠５，６５に設けてもよい。また、受け部材４１は網戸３０，９０の縦框３１，９１や縦枠５，６５と一体に設けてもよい。
【００４６】
また、受け部材４１や網戸固定部材４２の取付け部位を、縦枠５，６５や網戸３０，９０の縦框３１，９１ではなく、上枠６や下枠７、または網戸３０，９０の上框３２、中框３３あるいは下框３４としてもよい。
【００４７】
その他、本発明を実施する場合、本発明の要旨を逸脱しない範囲において、構成部材やその組み合わせについて、種々の変更、付加が可能である。
【符号の説明】
【００４８】
１，６１  枠体
２，６２  内障子
３，６３  外障子
５，６５  縦枠
５ａ  室外板部
３０，９０  網戸
３１，９１  縦框
４０  網戸固定装置
４１  受け部材
４１ｃ，４１ｄ  貫通孔
４１ｅ  係止部
４２  網戸固定部材
４３  フック
４５，４５Ｘ，４６  取付け金具
【図１】
0006667951.tif 000002
【図２】
0006667951.tif 000003
【図３】
0006667951.tif 000004
【図４】
0006667951.tif 000005
【図５】
0006667951.tif 000006
【図６】
0006667951.tif 000007
【図７】
0006667951.tif 000008
【図８】
0006667951.tif 000009
【図９】
0006667951.tif 000010